(57)【要約】      （修正有）【課題】時間および空間の制限なしでトランザクションを処理するモバイルトランザクション方法を提供する。【解決手段】モバイルトランザクション方法は、電子トランザクションプラットフォームを介してトランザクションを処理するための携帯式電子装置１を使用して実行される。携帯式電子装置１は、支払口座情報を格納する支払カード１３と取り外し可能に接続される。本方法において、携帯式電子装置１は、トランザクションに関連したトランザクション情報を生成して、支払カード１３から支払口座情報を得て、セッションを確立して、電子トランザクションプラットフォームと通信して、トランザクションに関する支払いを処理するために電子トランザクションプラットフォームと協働するように動作することができる。【選択図】図１
2014098952.tif 000002
【特許請求の範囲】
【請求項１】
電子トランザクションプラットフォーム（２）を介してトランザクションを処理するための携帯式電子装置（１）を使用して実行されるモバイルトランザクション方法であって、前記携帯式電子装置（１）は、支払口座情報を格納する支払カード（１３）と取り外し可能に接続されており、前記方法は、以下のステップである、
Ａ）前記トランザクションに関連したトランザクション情報を生成するように前記携帯式電子装置（１）を構成するステップと、
Ｂ）前記支払カード（１３）から前記支払口座情報を得るように前記携帯式電子装置（１）を構成するステップと、
Ｃ）前記電子トランザクションプラットフォーム（２）とのセッションを確立して、前記セッションに従って前記電子トランザクションプラットフォーム（２）と通信するように前記携帯式電子装置（１）を構成するステップと、
Ｄ）ステップＡ）において生成された前記トランザクション情報及びステップＢ）において得られた前記支払口座情報に従って、前記トランザクションのための支払いを処理するために前記電子トランザクションプラットフォーム（２）と協働するように前記携帯式電子装置（１）を構成するステップと
を特徴とする、方法。
【請求項２】
ステップＢ）において得られた前記支払口座情報は、前記支払カード（１３）と関連した識別番号と、ステップＤ）において処理された前記支払いが請求された銀行口座番号と、前記銀行口座番号を発行している銀行と関連した銀行コードとを含むという点を特徴とする、請求項１に記載のモバイルトランザクション方法。
【請求項３】
前記支払カード（１３）は、前記電子トランザクションプラットフォーム（２）および前記銀行によって協働して発行され、前記銀行に固有のものであることを特徴とする、請求項２に記載のモバイルトランザクション方法。
【請求項４】
前記携帯式電子装置（１）は、プロセッサ（１１）と、前記プロセッサと接続されているメモリカードインターフェース（１２）と、前記支払カード（１３）とを含み、前記支払カード（１３）は、スマートチップ（１５）および前記スマートチップ（１５）のための制御部（１４）を含み、前記モバイルトランザクション方法は、ステップＢ）が、以下のサブステップである、
Ｂ１）前記支払カード（１３）の前記スマートチップ（１５）と通信するように前記携帯式電子装置（１）の前記プロセッサ（１１）を構成するステップと、
Ｂ２）前記支払カード（１３）の前記スマートチップ（１５）とのトランザクション機能を開始するように前記携帯式電子装置（１）の前記プロセッサ（１１）を構成するステップと、
Ｂ３）前記メモリカードインターフェース（１２）を介して、前記スマートチップ（１５）から前記支払口座情報を得るために、前記支払カード（１３）の前記制御部（１４）と協働するように、前記携帯式電子装置（１）の前記プロセッサ（１１）を構成するステップと、
Ｂ４）前記トランザクション機能を終了するように、前記携帯式電子装置（１）の前記プロセッサ（１１）を構成するステップと、
Ｂ５）前記支払カード（１３）の前記スマートチップ（１５）との前記通信を終了するように、前記携帯式電子装置（１）の前記プロセッサ（１１）を構成するステップと
を含むことを特徴とする、請求項１に記載のモバイルトランザクション方法。
【請求項５】
ステップＤ）の後の、
前記支払いが完了するときに、前記電子トランザクションプラットフォーム（２）との前記セッションを終了するように、前記携帯式電子装置（１）を構成するステップ
を更に特徴とする、請求項１に記載のモバイルトランザクション方法。
【請求項６】
前記トランザクション情報は、前記トランザクションに関する支払額を含むことを特徴とする、請求項４に記載のモバイルトランザクション方法。
【請求項７】
前記携帯式電子装置（１）は、プロセッサ（１１）と、前記プロセッサ（１１）と接続しており、前記支払カード（１３）に接続するように動作することができるメモリカードインターフェース（１２）を含み、前記支払カード（１３）は、スマートチップ（１５）および前記スマートチップ（１５）のための制御部（１４）を含み、前記モバイルトランザクション方法は、ステップＤ）が、以下のサブステップである、
Ｄ１）前記電子トランザクションプラットフォーム（２）に認証請求を送信するように、前記携帯式電子装置（１）の前記プロセッサ（１１）を構成することによって、前記電子トランザクションプラットフォーム（２）が、前記携帯式電子装置（１）からの前記認証請求の受信に応答して、前記携帯式電子装置（１）に認証情報を供給するように動作することができ、前記携帯式電子装置（１）および前記電子トランザクションプラットフォーム（２）は、前記認証情報に従って互いに前記トランザクションを確認するように構成されるステップと、
Ｄ２）前記制御部（１４）によってトランザクション認証コードを生成するために、かつ、前記メモリカードインターフェース（１２）を介して、前記認証情報および前記支払額を前記スマートチップ（１５）に送信するために前記支払カード（１３）の前記制御部（１４）と協働するように前記携帯式電子装置（１）の前記プロセッサ（１１）を構成するステップと、
Ｄ３）前記メモリカードインターフェース（１２）を介して、前記スマートチップ（１５）から前記トランザクション認証コードを得るように、前記携帯式電子装置（１）の前記プロセッサ（１１）を構成するステップと
を含むことを特徴とする、請求項１に記載のモバイルトランザクション方法。
【請求項８】
ステップＤ）は、以下のサブステップである、
サブステップＤ２）の前に、前記支払カード（１３）の前記スマートチップ（１５）と通信して、前記支払カード（１３）の前記スマートチップ（１５）とのトランザクション機能を始めるように、前記携帯式電子装置（１）の前記プロセッサ（１１）を構成するステップと、
サブステップＤ３）の後に、前記トランザクション機能を終了して、前記支払カード（１３）の前記スマートチップ（１５）との前記通信を終了するように、前記携帯式電子装置（１）の前記プロセッサ（１１）を構成するステップと
を更に含むことを特徴とする、請求項７に記載のモバイルトランザクション方法。
【請求項９】
サブステップＤ２）において、前記認証情報は、末端のシリアルナンバ、末端のチェックナンバ、前記認証の日時、前記支払いを受けるための銀行口座番号、前記支払いを受けるための前記銀行口座番号の銀行と関連した銀行コード、およびトランザクション・シリアルナンバを含むことを特徴とする、請求項７に記載のモバイルトランザクション方法。
【請求項１０】
前記支払カード（１３）が、銀行システムと関連した銀行によって発行されること、および、ステップＤ）は、サブステップＤ３）の後に、サブステップである、
振り込み要求を前記電子トランザクションプラットフォーム（２）に送信するように前記携帯式電子装置（１）の前記プロセッサ（１１）を構成することによって、前記電子トランザクションプラットフォーム（２）が、前記振り込み要求の受信に応答して、前記振り込み要求に従って前記支払いを処理するために、前記銀行の前記銀行システムに知らせるように動作することができ、前記振り込み要求は、前記トランザクション情報、前記支払口座情報およびメッセージ認証コードを含むステップ
を更に含むことを特徴とする、請求項７に記載のモバイルトランザクション方法。
【請求項１１】
ステップＤ）は、前記振り込み要求を送信する前記サブステップの後に、サブステップである、
問い合わせ要求を前記電子トランザクションプラットフォーム（２）に送信するように前記携帯式電子装置（１）の前記プロセッサ（１１）を構成することによって、前記電子トランザクションプラットフォーム（２）が、前記問い合わせ要求の受信に応答して、前記支払いが処理された後に前記銀行システムによって生成され、前記銀行システムから前記電子トランザクションプラットフォーム（２）によって受信され、かつ、このように処理された前記支払いと関連した支払いシリアルナンバ、受信番号および受信状態を含む振り込み結果を、前記携帯式電子装置（１）の前記プロセッサ（１１）に送信するように動作することができるステップ
を更に含むことを特徴とする、請求項１０に記載のモバイルトランザクション方法。
【請求項１２】
電子トランザクションプラットフォーム（２）を介してトランザクションを処理するために前記電子トランザクションプラットフォーム（２）と協働して通信するように構成された携帯式電子装置（１）であって、前記携帯式電子装置（１）は、
支払口座情報を格納しているスマートチップ（１５）および前記スマートチップ（１５）にアクセスするための制御部（１４）を含む支払カード（１３）と取り外し可能に接続されるように構成されたメモリカードインターフェース（１２）と、
前記メモリカードインターフェース（１２）と接続されており、
前記トランザクションに従ってトランザクション情報を生成して、
前記メモリカードインターフェース（１２）を介して前記スマートチップ（１５）から前記支払口座情報を得るために前記支払カード（１３）の前記制御部（１４）と協働して、
前記電子トランザクションプラットフォーム（２）とのセッションを確立して、前記セッションに従って前記電子トランザクションプラットフォーム（２）と通信し、
前記トランザクション情報および前記支払口座情報に従って前記トランザクションの支払いを処理するために前記電子トランザクションプラットフォーム（２）と協働して、
前記支払いが完了されるときに、前記電子トランザクションプラットフォーム（２）との前記セッションを終了するように構成されたプロセッサ（１１）と
を特徴とする、携帯式電子装置（１）。
【請求項１３】
前記支払カード（１３）の前記スマートチップ（１５）および前記制御部（１４）とスマートチップ（１５）との間の通信プロトコルが、国際標準化機構（ＩＳＯ）および国際電気標準会議（ＩＥＣ）によって共同で管理された国際標準に準拠することを特徴とする、請求項１２に記載の携帯式電子装置（１）。
【請求項１４】
前記国際標準がＩＳＯ／ＩＥＣ  ７８１６であることを特徴とする、請求項１３に記載の携帯式電子装置（１）。
【請求項１５】
前記スマートカードが、前記電子トランザクションプラットフォーム（２）および銀行によって協働して発行され、前記銀行に固有のものであることを特徴とする、請求項１２に記載の携帯式電子装置（１）。
【発明の詳細な説明】
【技術分野】
【０００１】
本発明は、モバイルトランザクション方法、特に携帯式電子装置を使用して実行されるモバイルトランザクション方法に関する。
【背景技術】
【０００２】
店舗販売時点情報管理（ＰＯＳ）システムは、小売業、食品産業およびホテルにおいて共通して使用されており、売上を処理し、在庫を管理し、顧客購入行為を分析するなどができる。そして、従来のＰＯＳシステムは、台湾特許出願公開第２５４２２５号公報において説明される。
【０００３】
ＰＯＳシステムを利用している事業に関して、台湾特許出願公開第３７２３６２号公報に記載されるように、顧客は、支払カード（例えば記憶値カード、デビットカードまたはクレジットカードなど）を読み取ることができるカードリーダを供給されるこの事業の販売箇所で、支払カードを用いて購入することができる。しかしながら、トランザクションおよび支払いは、今でもカードリーダを供給された特定の販売箇所で処理されなければならず、一部の顧客にとっては不都合である場合がある。
【先行技術文献】
【特許文献】
【０００４】
【特許文献１】台湾特許出願公開第２５４２２５号公報
【特許文献２】台湾特許出願公開第３７２３６２号公報
【発明の概要】
【発明が解決しようとする課題】
【０００５】
従って、本発明の目的は、時間および空間の制限なしでトランザクションを処理するモバイルトランザクション方法を提供することである。
【課題を解決するための手段】
【０００６】
したがって、本発明のモバイルトランザクション方法は、電子トランザクションプラットフォームを介してトランザクションを処理するための携帯式電子装置を使用して実行されることになっている。携帯式電子装置は、支払口座情報を格納する支払カードと取り外し可能に接続される。その方法は、以下のステップである、
Ａ）トランザクションに関連したトランザクション情報を生成するように携帯式電子装置を構成するステップと、
Ｂ）支払カードから支払口座情報を得るように携帯式電子装置を構成するステップと、
Ｃ）電子トランザクションプラットフォームとのセッションを確立して、そのセッションに従って電子トランザクションプラットフォームと通信するように携帯式電子装置を構成するステップと、
Ｄ）ステップＡ）において生成されたトランザクション情報およびステップＢ）において得られた支払口座情報に従って、トランザクションのための支払いを処理するために電子トランザクションプラットフォームと協働するように携帯式電子装置を構成するステップと
を含む。
【０００７】
本発明の他の目的は、モバイルトランザクション方法を実行するように動作可能な携帯式電子装置を提供することである。
【０００８】
したがって、本発明の携帯式電子装置は、電子トランザクションプラットフォームを介してトランザクションを処理するための電子トランザクションプラットフォームと協働して通信するように動作することができる。携帯式電子装置は、メモリカードインターフェースとプロセッサとを備える。メモリカードインターフェースは、支払口座情報を格納しているスマートチップを含む支払カードおよびスマートチップにアクセスするための制御部と取り外し可能に接続されるように動作することができる。プロセッサは、メモリカードインターフェースと接続され、かつ、
トランザクションに従ってトランザクション情報を生成して、
メモリカードインターフェースを介してスマートチップから支払口座情報を得るために支払カードの制御部と協働して、
電子トランザクションプラットフォームとのセッションを確立して、セッションに従って電子トランザクションプラットフォームと通信し、
トランザクション情報および支払口座情報に従ってトランザクションの支払いを処理するために電子トランザクションプラットフォームと協働して、
支払いが完了されるときに、電子トランザクションプラットフォームとのセッションを終了するように、動作することができる。
【０００９】
他の本発明の特徴および効果は、添付図面を参照して、好ましい実施形態の以下の詳細な説明において明らかとなろう。
【図面の簡単な説明】
【００１０】
【図１】図１は、この発明のモバイルトランザクションのための携帯式電子装置の好ましい実施形態のブロック図である。
【図２】図２は、携帯式電子装置、電子トランザクションプラットフォーム、銀行システム、および販売者に使用される電子装置の中の関係を図示しているブロック図である。
【図３ａ】図３ａは、本発明のモバイルトランザクション方法の好ましい実施形態のフローチャートである。
【図３ｂ】図３ｂは、本発明のモバイルトランザクション方法の好ましい実施形態のフローチャートである。
【図４】図４は、支払カードから支払口座情報を得るためのサブステップを示すフローチャートである。
【図５】図５は、メッセージ認証コードを生成するためのサブステップを示すフローチャートである。
【発明を実施するための形態】
【００１１】
図１に示すように、本発明の携帯式電子装置１の好ましい実施形態は、送信モジュール１０と、その送信モジュール１０と接続されたプロセッサ１１と、そのプロセッサ１１と接続され、かつ、取り外し可能に支払カード１３と接続されたメモリカードインターフェース１２とを含む。この実施形態において、携帯式電子装置１は、送信モジュール１０を介して他のデバイスと通信することができる携帯電話でありえる。メモリカードインターフェース１２は、さまざまな現存のメモリカード、例えばエスディー（ｓｅｃｕｒｅ  ｄｉｇｉｔａｌ）（ＳＤ）カード、マイクロＳＤカード、ミニＳＤカード、コンパクトフラッシュ（登録商標）（ＣＦ）カードなどと互換性を持つインターフェースでありえる。
【００１２】
そして、支払カード１３は、制御部１４と、制御部１４と接続されたスマートチップ１５と、制御部１４と接続されたメモリモジュール１６とを含む。制御部１４は、スマートチップ１５にアクセスするためのチップ制御モジュール１４１およびメモリモジュール１６にアクセスするためのメモリ制御モジュール１４２を含む。支払カード１３が、携帯式電子装置１に組み込まれるメモリカードインターフェース１２を介して携帯式電子装置１と取り外し可能に接続されること、したがって、携帯式電子装置１のための追加のハードウェアコストがないことは、留意するに値する。
【００１３】
この実施形態において、支払カード１３のスマートチップ１５および制御部１４とスマートチップ１５との間の通信プロトコルは、国際標準化機構（ＩＳＯ）および国際電気標準会議（ＩＥＣ）によって共同で管理される国際標準ＩＳＯ／ＩＥＣ  ７８１６に準拠する。具体的には、スマートチップ１５は、Ｆｉｎａｎｃｅ  Ｉｎｆｏｒｍａｔｉｏｎ  Ｓｅｒｖｉｃｅ  ＣＯ．，ＬＴＤによって標準化されて、発行される。メモリモジュール１６は、不揮発性メモリ、例えばフラッシュメモリである。
【００１４】
更に図２および図３を参照すると、モバイルトランザクション方法は、電子トランザクションプラットフォーム２および銀行と関連した銀行システム３を介した販売者とのトランザクションを処理するための携帯式電子装置１を使用して実行されることになる。携帯式電子装置１、銀行システム３、および販売者に使用される電子デバイス４は、別々に電子トランザクションプラットフォーム２と通信するように構成される。この実施形態において、支払カード１３は、電子トランザクションプラットフォーム２および銀行によって協働して発行され、支払カード１３からの支払いがその銀行により受け入れられることができるように、銀行に固有のものである。販売者は、それによって商品またはサービスを供給するために、電子トランザクションプラットフォーム２によって承認され、そして、携帯式電子装置１のユーザは、購入者となる可能性のある者である。
【００１５】
モバイルトランザクションが開始できる前に、支払カード１３に関連するアプリケーションプログラム（ＡＰ）およびＡＰに基づいて開発されたアプリケーションプログラムインターフェース（ＡＰＩ）は、前もって携帯式電子装置１のオペレーティングシステム（ＯＳ）にインストールされることを必要とする。ＡＰは、以下の機能、
携帯式電子装置１のメモリカードインターフェース１２と接続される支払カード１３を認知すること、
支払カード１３のパラメータを初期化すること、
支払カード１３の初期化のために使用されたメモリ空間を解放すること、
携帯式電子装置１のプロセッサ１１と支払カード１３のスマートチップ１５との間の通信リンクを確立する／終了すること、
支払カード１３のスマートチップ１５に関するトランザクション機能を開始／終了することであり、ここで、新たなトランザクション機能は、他の全てのトランザクション機能が終了した後にのみ開始すること、
トランザクション機能を開始した後に、その開始したトランザクション機能と関連したコマンドを実行すること、例えば、支払カード１３から情報を得ること、メッセージ認証コード（ＭＡＣ）を処理すること、トランザクション認証コード（ＴＡＣ）を生成すること、メッセージを暗号化／復号化すること等、
支払カード１３の制御部１４をリセットすること、
メモリモジュール１６の識別番号、例えばフラッシュＩＤを得ること、および、
ＡＰＩパッケージのバージョン情報を得ること
を供給するように動作することができる。
【００１６】
この実施形態において、ＡＰおよびＡＰＩがインストールされた携帯式電子装置１は、携帯式電子装置１のディスプレイ（図示せず）に、電子トランザクションプラットフォーム２とリンクするアイコンを表示するように動作することができる。アイコンがクリックされるときに、携帯式電子装置１のユーザは、電子トランザクションプラットフォーム２を介して、さまざまな販売者によって供給された所望の商品またはサービスを選択することができる。選択が完了した後に、その選択のためのユーザの操作に応答して携帯式電子装置１の入力装置（図示せず）によって生成されるトランザクション信号は、携帯式電子装置１のプロセッサ１１に送られ、そして、携帯式電子装置１は、トランザクションを完了するために本発明のモバイルトランザクション方法を実行するように動作することができる。ここで、モバイルトランザクション方法は、更に図３〜図５を参照して説明される。
【００１７】
ステップ５００において、携帯式電子装置１のプロセッサ１１は、トランザクション信号を受信して、トランザクション信号に従ってトランザクションに関連したトランザクション情報を生成するように動作することができる。この実施形態において、トランザクション情報は、トランザクションに関する注文品のシリアルナンバ、トランザクションの日時、およびトランザクションに関する注文品の支払額を含む。
【００１８】
ステップ５０１において、携帯式電子装置１のプロセッサ１１は、支払カード１３から支払口座情報を得るように動作することができる。この実施形態において、支払口座情報は、支払カード１３のスマートチップ１５に格納され、支払カード１３と関連した識別番号、支払カード１３を発行している銀行の銀行口座番号、およびその銀行と関連した銀行コードを含む。特に、ステップ５０１は、以下のサブステップ６０１〜６０５を含む。
【００１９】
サブステップ６０１において、携帯式電子装置１のプロセッサ１１は、支払カード１３のスマートチップ１５と通信するように動作することができる。特に、プロセッサ１１は、支払カード１３のスマートチップ１５とプロセッサ１１によって実行されるＡＰとの間に通信リンクを確立するように動作することができる。
【００２０】
サブステップ６０２において、携帯式電子装置１のプロセッサ１１は、支払カード１３のスマートチップ１５に関するＡＰのトランザクション機能を開始するように動作することができる。
【００２１】
サブステップ６０３において、携帯式電子装置１のプロセッサ１１は、メモリカードインターフェース１２を介してスマートチップ１５から支払口座情報を得るために支払カード１３の制御部１４と協働するように動作することができる。
【００２２】
携帯式電子装置１のプロセッサ１１は、サブステップ６０４において、トランザクション機能を終了して、サブステップ６０５において、支払カード１３のスマートチップ１５との通信を終了するように動作することができる。支払口座情報を得た後に、そのフローは、ステップ５０２へ進む。
【００２３】
ステップ５０２において、携帯式電子装置１のプロセッサ１１は、電子トランザクションプラットフォーム２とのセッションを確立するために、送信モジュール１０を介してセッション要求を電子トランザクションプラットフォーム２に送信するように動作することができる。そのセッションは、モバイルトランザクションの間、携帯式電子装置１および電子トランザクションプラットフォーム２間での、トランザクション情報および支払口座情報を含むデータ送信を確保するために使用される。セッションの制御および管理は、当業者によって容易に理解されるので、その詳細は、簡潔のため本願明細書において省略される。
【００２４】
ステップ５０３において、電子トランザクションプラットフォーム２は、暗号化され、かつ、認証されるセッションおよびセッションシード（ｓｅｓｓｉｏｎ  ｓｅｅｄ）を生成して、携帯式電子装置１からのセッション要求に応答してセッションおよびセッションシードを携帯式電子装置１に送信するように動作することができる。セッションは、セッションにおいて使用されるパラメータ、変数およびデータを意味する。
【００２５】
ステップ５０４において、携帯式電子装置１のプロセッサ１１は、送信モジュール１０を介して電子トランザクションプラットフォーム２にセッションを送信することによって、電子トランザクションプラットフォーム２とのセッションを開始させるように動作することができる。
【００２６】
ステップ５０５において、電子トランザクションプラットフォーム２は、携帯式電子装置１とのセッションを検査し、開始させて、その結果、それらの間でセッションが正常に確立されたときに、セッションの開始についての正常結果を携帯式電子装置１に送信するように動作することができる。
【００２７】
ステップ５０６において、セッションの開始についての正常結果を受信した後に、携帯式電子装置１のプロセッサ１１は、電子トランザクションプラットフォーム２に、送信モジュール１０を介して、トランザクションの注文品の状態を問い合わせる要求およびコンピュータと人間を区別する完全に自動化された公開チューリングテスト（Ｃｏｍｐｌｅｔｅｌｙ  Ａｕｔｏｍａｔｅｄ  Ｐｕｂｌｉｃ  Ｔｕｒｉｎｇ  ｔｅｓｔ  ｔｏ  Ｃｏｍｐｕｔｅｒｓ  ａｎｄ  Ｈｕｍａｎｓ  Ａｐａｒｔ）（ＣＡＰＴＣＨＡ）を質問する要求とともに、そのセッションを送信するように動作することができる。この実施形態おいて、注文品の状態を問い合わせる要求は、トランザクション情報を含み、ＣＡＰＴＣＨＡは、トランザクション信号が本当の人間によって生成されることを保証するために使用される。加えて、携帯式電子装置１のプロセッサ１１は、そのトランザクションの注文品の支払いが完了する前にこのように確立されたセッションに従って、電子トランザクションプラットフォーム２と通信するように動作することができる。
【００２８】
電子トランザクションプラットフォーム２は、ステップ５０７において、セッションを検査して、ステップ５０８において、ユーザに注文品を供給している販売者に使用される電子装置４に注文品の状態を問い合わせる要求を送信するように動作することができる。
【００２９】
ステップ５０９において、電子装置４は、注文品の状態を問い合わせる要求を処理して、したがって、注文品の状態を電子トランザクションプラットフォーム２に送信するように動作することができる。
【００３０】
ステップ５１０において、電子トランザクションプラットフォーム２は、ＣＡＰＴＣＨＡを生成するように動作することができ、携帯式電子装置１に注文品の状態とともに、ＣＡＰＴＣＨＡを送信する。
【００３１】
ステップ５１１において、携帯式電子装置１のプロセッサ１１は、ユーザにトランザクションの注文品のための支払いを行なうように依頼する画像を生成して、携帯式電子装置１のディスプレイでその画像およびＣＡＰＴＣＨＡをユーザに示すように動作することができる。
【００３２】
ステップ５１２において、携帯式電子装置１のプロセッサ１１は、ユーザがＣＡＰＴＣＨＡおよび支払カード１３と関連したパスワードを入力することができるように動作することができる。
【００３３】
パスワードが正しく、かつ、ＣＡＰＴＣＨＡが正しいことが確認されたとき、携帯式電子装置１のプロセッサ１１は、ステップ５１３において、送信モジュール１０を介して、そのセッションとともに認証要求を電子トランザクションプラットフォーム２に送信するように動作することができる。この実施形態において、携帯式電子装置１および電子トランザクションプラットフォーム２は、認証情報に従って互いにトランザクションを確認するように構成される。
【００３４】
携帯式電子装置１からの認証要求の受信に応答して、電子トランザクションプラットフォーム２は、ステップ５１４において、セッションを検査して、ステップ５１４における検査が成功したときに、ステップ５１５において携帯式電子装置１に認証情報を供給するように動作することができる。認証情報は、末端のシリアルナンバ、末端のチェックナンバ、認証の日時、支払いを受けるための販売者と関連した銀行口座番号、支払いを受けるための銀行口座番号の銀行の銀行コード、トランザクションに対応するトランザクション・シリアルナンバ、およびその認証要求に応答して電子トランザクションプラットフォーム２によって生成される支払要求識別番号を含む。支払要求識別番号は、携帯式電子装置１と関連しており、携帯式電子装置１および電子トランザクションプラットフォーム２が互いに支払いの詳細を確認するためのものである。
【００３５】
ステップ５１６において、携帯式電子装置１のプロセッサ１１は、支払カード１３のスマートチップ１５と通信して、ＡＰのトランザクション機能を開始するように動作することができる。このトランザクション機能において、認証情報および支払額は、メモリカードインターフェース１２およびチップ制御モジュール１４１を介してスマートチップ１５に送信され、スマートチップ１５は、したがって、ＴＡＣを生成するように動作することができ、プロセッサ１１は、メモリカードインターフェース１２を介してメッセージ認証コードを得るためにチップ制御モジュール１４１と協働するように動作することができる。
【００３６】
具体的には、ステップ５１６は、以下のサブステップ７０１〜７０７を含む。
【００３７】
サブステップ７０１において、携帯式電子装置１のプロセッサ１１は、支払カード１３のスマートチップ１５とプロセッサ１１によって実行されたＡＰとの間の通信リンクを確立するように動作することができる。
【００３８】
サブステップ７０２において、携帯式電子装置１のプロセッサ１１は、プロセッサ１１のＡＰを介して支払カード１３のスマートチップ１５に関するトランザクション機能を開始するように動作することができる。
【００３９】
サブステップ７０３において、携帯式電子装置１のプロセッサ１１は、認証情報および支払額をメモリカードインターフェース１２を介してスマートチップ１５に送信するためにチップ制御モジュール１４１と協働するように動作することができる。
【００４０】
サブステップ７０４において、スマートチップ１５は、ＴＡＣを生成するように動作することができる。メッセージ認証コードに関連した技術は当業者にとってよく知られているので、その詳細は簡潔のため本願明細書において省略される。
【００４１】
サブステップ７０５において、携帯式電子装置１のプロセッサ１１は、メモリカードインターフェース１２を介してスマートチップ１５からＴＡＣを得るためにチップ制御モジュール１４１と協働するように動作することができる。
【００４２】
次に、携帯式電子装置１のプロセッサ１１は、サブステップ７０６において、トランザクション機能を終了して、サブステップ７０７において、支払カード１３のスマートチップ１５との通信を終了するように動作することができる。そのフローは、その後ステップ５１７へ進む。
【００４３】
ステップ５１７において、携帯式電子装置１のプロセッサ１１は、送信モジュール１０を介して電子トランザクションプラットフォーム２にセッションとともに振り込み要求を送信するように動作することができる。この実施形態において、振り込み要求は、トランザクション情報、支払口座情報、ＣＡＰＴＣＨＡ、支払いを受けるための銀行口座番号、支払いを受けるための銀行口座番号の銀行の銀行コード、支払要求識別番号およびメッセージ認証コードを含む。
【００４４】
ステップ５１８において、電子トランザクションプラットフォーム２は、ステップ５１７において受信されたセッションを検査するように動作することができる。ステップ５１９において、電子トランザクションプラットフォーム２は、トランザクションの注文品の支払いを処理するために銀行システム３に通知するために振り込み要求を銀行システム３に送信するように動作することができる。
【００４５】
ステップ５２０において、銀行システム３は、振り込み要求に従って支払いを処理して（すなわち、購入者の銀行口座から販売者のそれへ支払額を振り込んで）、その後で、電気トランザクションプラットフォーム２に送信されることになっている振り込み結果を生成するように動作することができる。振り込み結果は、このように処理された支払いに関連した支払いシリアルナンバ、受信番号および受信状態を含む。
【００４６】
ステップ５２１において、電子トランザクションプラットフォーム２は、振り込み結果を受信して、格納するように動作することができる。
【００４７】
ステップ５２２において、携帯式電子装置１のプロセッサ１１は、送信モジュール１０を介して電子トランザクションプラットフォーム２にセッションとともに、振り込み結果の問い合わせ要求を送信するように動作することができる。
【００４８】
ステップ５２３において、電子トランザクションプラットフォーム２は、ステップ５２２において受けたセッションを検査するように動作することができる。ステップ５２４において、電子トランザクションプラットフォーム２は、問い合わせ要求を処理して、振り込み結果を携帯式電子装置１のプロセッサ１１に送信するように動作することができる。この実施形態において、携帯式電子装置１のプロセッサ１１は、所定の待ち時間が経過したかどうかを決定する、すなわち、電子トランザクションプラットフォーム２がタイムアウトしたかどうかを決定するように動作することができる。プロセッサ１１が所定の待ち時間内に振り込み結果を受信するとき、フローはステップ５２５へ進む。受信しないときは、携帯式電子装置１のプロセッサ１１は、注文品の支払いがまだ完了されていないことを携帯式電子装置１のディスプレイで知らせるメッセージを示すように動作することができる。
【００４９】
トランザクションの注文品のための支払い処理は、携帯式電子装置１が振り込み結果を受信したときに、正常に完了されたと考えられる。次に、携帯式電子装置１は、電子トランザクションプラットフォーム２とのセッションを終了して、送信モジュール１０を介して電子トランザクションプラットフォーム２とのセッションを終了するためのセッションを送信するように動作することができる。
【００５０】
ステップ５２６において、電子トランザクションプラットフォーム２は、ステップ５２５において受信されたセッションを検査するように動作することができる。ステップ５２７において、電子トランザクションプラットフォーム２は、携帯式電子装置１とのセッションを終了するように動作することができる。
【００５１】
ステップ５２８において、携帯式電子装置１のプロセッサ１１は、携帯式電子装置１のディスプレイに振り込み結果を示すように動作することができる。
【００５２】
要約すると、携帯式電子装置１は、支払カード１３と協働して、ユーザの購買行為を容易にするために時間および空間の制限なくモバイルトランザクション方法を実行するように動作することができる。換言すれば、支払カード１３と関連したＡＰおよびＡＰＩがインストールされた携帯式電子装置１は、トランザクションを処理するための制御部１４のチップ制御モジュール１４１と協働することが可能である。なお、トランザクションの全部が、店舗販売時点情報管理（ＰＯＳ）システムなしで処理されうる。加えて、携帯式電子装置１と電子トランザクションプラットフォーム２との間のデータ送信は、トランザクションの間、セッションおよび暗号化されるセッションシードによって確保される。
【００５３】
本発明が最も実際的でかつ好ましい実施形態と考えられるものと関連して説明されたが、この発明は、開示された実施形態に制限されず、すべてのこの種の修正および同等の装置を含むために最も広い解釈の範囲内に含まれるさまざまな装置をカバーすることを目的とするものと理解される。
【符号の説明】
【００５４】
１  携帯式電子装置
２  電子トランザクションプラットフォーム
３  銀行システム
４  電子装置
１０  送信モジュール
１１  プロセッサ
１２  メモリカードインターフェース
１３  支払カード
１４  制御部
１５  スマートチップ
１６  メモリモジュール
【図１】
2014098952.tif 000003
【図２】
2014098952.tif 000004
【図３ａ】
2014098952.tif 000005
【図３ｂ】
2014098952.tif 000006
【図４】
2014098952.tif 000007
【図５】
2014098952.tif 000008
【外国語明細書】
2014098952000001.pdf
2014098952000002.pdf
2014098952000003.pdf
2014098952000004.pdf